(57)【特許請求の範囲】
【請求項１】
ユーザが用いるユーザ端末とサービスプロバイダ装置とに情報ネットワークを介して接続される情報配信装置であって、
予め前記ユーザの興味があるキーワードと送信先情報とをユーザ毎にサービス設定ファイルとして記憶するサービス設定ファイル記憶部と、
前記ユーザの前記ユーザ端末を用いた通信履歴を蓄積する通信履歴蓄積部と、
前記ユーザの前記ユーザ端末を用いた通信から通信履歴を取得し、該取得した通信履歴を前記通信履歴蓄積部に記憶する通信履歴取得機能部と、
前記サービス設定ファイル記憶部に予め記憶されているキーワードに基づいて、前記通信履歴蓄積部に記憶されている通信履歴から、前記キーワードと同値関係または継承関係にあるキーワードを興味データとして抽出する興味データ抽出部と、
前記サービスプロバイダ装置からテキスト形式である記事を取得する記事取得機能部と、
前記記事取得機能部が取得した記事の中から、前記興味データに基づいて記事を抽出するフィルタ機能部と、
前記フィルタ機能部が抽出した記事を音声化情報に音声変換するテキスト音声化機能部と、
前記テキスト音声化機能部が音声変換した音声化情報を前記サービス設定ファイルの送信先情報に基づいて送信する通信部と、
を有することを特徴とする情報配信装置。
【請求項２】
前記情報配信装置が、
前記テキスト音声化機能部が音声変換した音声化情報を公開する音声情報公開機能部、
を有することを特徴とする請求項１に記載の情報配信装置。
【請求項３】
前記サービス設定ファイルには、
前記送信先情報として、前記ユーザの電話番号またはメールアドレスの情報が記憶されており、
前記通信部が、
前記音声化情報を前記サービス設定ファイルに記憶されている電話番号またはメールアドレスの情報に基づいて、前記音声化情報を送信前記ユーザ端末に配信する、
ことを特徴とする請求項１または請求項２に記載の情報配信装置。
【請求項４】
前記通信部が、
前記音声化情報を前記ユーザ端末にＳＩＰで配信する、
ことを特徴とする請求項１から請求項３に記載の情報配信装置。
【請求項５】
前記通信部が、
前記サービス設定ファイルに記憶されている電話番号に基づいて前記音声化情報を前記ユーザ端末に配信した場合において、前記ユーザ端末からの応答が無い場合または前記ユーザ端末が未接続の場合には、前記サービス設定ファイルに記憶されているメールアドレスの情報に基づいて前記音声化情報をメール配信する、
ことを特徴とする請求項１から請求項４に記載の情報配信装置。
【請求項６】
前記記事取得機能部が、
前記サービスプロバイダ装置に記録されているテキスト情報に変化がある場合には、該変化に対応する差分であるテキスト情報を取得する、
ことを特徴とする請求項１から請求項５に記載の情報配信装置。
【請求項７】
前記記事取得機能部が、
予め定められた時刻に前記テキスト情報を取得する、
ことを特徴とする請求項１から請求項６に記載の情報配信装置。
【請求項８】
前記通信履歴蓄積部に蓄積される通信ユーザの通信履歴は、
ブログにおける記事コンテンツや閲覧データやコメントやトラックバック情報提供サービスにおけるデータを含む、
ことを特徴とする請求項１から請求項７に記載の情報配信装置。
【請求項９】
前記通信履歴データの通信を行うユーザ端末装置と前記音声化情報を受信するユーザ端末装置とが異なる端末装置である、
ことを特徴とする請求項１から請求項８に記載の情報配信装置。
【請求項１０】
前記通信履歴データの通信を行うユーザ端末装置と前記音声化情報を受信するユーザ端末装置とのうち、いずれか一方または両方のユーザ端末装置が、携帯型端末装置であることを特徴とする請求項１から請求項９に記載の情報配信装置。
【請求項１１】
前記サービス設定ファイル記憶部が、
一以上のＷｅｂページを指定するＵＲＬ情報を前記サービス設定ファイルとして予め記憶し、
前記記事取得機能部が、
前記サービス設定ファイル記憶部に記憶された前記ＵＲＬ情報に基づいて、該ＵＲＬ情報に該当するＷｅｂページの更新を定期的に検知し、更新を検知した場合には、該更新を検知したＷｅｂページの内容から前記記事を取得し、
前記テキスト音声化機能部が、
前記記事取得機能部が取得した記事を前記音声化情報に音声変換し、
前記通信部が、
前記テキスト音声化機能部が音声変換した音声化情報と前記ＵＲＬ情報と前記送信先情報とを、前記ＵＲＬ情報に基づいて前記サービスプロバイダ装置に送信し、
前記サービスプロバイダ装置が、
前記情報配信装置の通信部から受信したＵＲＬ情報と音声化情報とに基づいて、前記音声化情報を含んだ前記ＵＲＬ情報に基づいた個人専用のメールマガジンを構成するマガジン構成部と、
前記マガジン構成手段が構成したメールマガジンを、前記情報配信装置の通信部から受信した送信先情報に基づいて配信する配信部と、
を有することを特徴とする請求項１から請求項１０に記載の情報配信装置。
【請求項１２】
ユーザが用いるユーザ端末とサービスプロバイダ装置とに情報ネットワークを介して接続される情報配信装置が、
予め前記ユーザの興味があるキーワードと送信先情報とをユーザ毎にサービス設定ファイルとして記憶し、
前記ユーザの前記ユーザ端末を用いた通信から通信履歴を取得し、該取得した通信履歴を通信履歴蓄積部に記憶し、
前記予め記憶されているキーワードに基づいて、前記通信履歴蓄積部に記憶されている通信履歴から、前記キーワードと同値関係または継承関係にあるキーワードを興味データとして抽出し、
前記サービスプロバイダ装置からテキスト形式である記事を取得し、
前記取得した記事の中から、前記興味データに基づいて記事を抽出し、
前記抽出した記事を音声化情報に音声変換し、
前記音声変換した音声化情報を前記サービス設定ファイルの送信先情報に基づいて送信する、
ことを特徴とする情報配信方法。
【請求項１３】
ユーザが用いるユーザ端末とサービスプロバイダ装置とに情報ネットワークを介して接続される情報配信装置としてのコンピュータに、
予め前記ユーザの興味があるキーワードと送信先情報とをユーザ毎にサービス設定ファイルとして記憶するサービス設定ファイル記憶手順と、
前記ユーザの前記ユーザ端末を用いた通信から通信履歴を取得し、該取得した通信履歴を通信履歴蓄積部に記憶する通信履歴取得機能手順と、
前記サービス設定ファイルに予め記憶されているキーワードに基づいて、前記通信履歴蓄積部に記憶されている通信履歴から、前記キーワードと同値関係または継承関係にあるキーワードを興味データとして抽出する興味データ抽出手順と、
前記サービスプロバイダ装置からテキスト形式である記事を取得する記事取得機能手順と、
前記記事取得機能手順が取得した記事の中から、前記興味データに基づいて記事を抽出するフィルタ機能手順と、
前記フィルタ機能手順が抽出した記事を音声化情報に音声変換するテキスト音声化機能手順と、
前記テキスト音声化機能手順が音声変換した音声化情報を前記サービス設定ファイルの送信先情報に基づいて送信する通信手順と、
を実行させるための情報配信プログラム。
【発明の詳細な説明】
【技術分野】
【０００１】
本発明はインターネット等の情報通信システム上で情報配信する技術であって、特にインターネットを使用しているユーザの興味がある記事テキスト情報を音声化してユーザに提供する技術に関する。
【背景技術】
【０００２】
近年、インターネットを介して音声情報をサービスとして提供する技術が普及しつつある。例えば、指定のブログを音声化して音声配信の仕組みであるPodcastにより配信するシステムが、非特許文献１として知られている。また、指定のブログの更新情報をメールで配信するシステムが、非特許文献２として知られている。また、ユーザの興味に合わせ、または、これまでのユーザの閲覧に応じて、ユーザに表示するニュースを変更するサービスを行うシステムが、非特許文献３として知られている。
【非特許文献１】:平成１９年９月２０日検索、インターネット＜URL:http://www.talkr.com/＞
【非特許文献２】:平成１９年９月２０日検索、インターネット＜URL:http://www.mailpia.jp/＞
【非特許文献３】:Google News、平成１９年９月２０日検索、インターネット＜URL:http://news.google.co.jp/＞
【発明の開示】
【発明が解決しようとする課題】
【０００３】
しかしながら、上記の非特許文献１から３におけるシステムでは、ユーザの興味にあわせた記事の更新情報を、ユーザに音声で配信することはできないという問題があった。そのため、たとえ非特許文献１から３におけるシステムを用いたとしても、ユーザの興味にあわせた記事の更新情報を、ユーザに音声で配信することはできないため、ユーザは、ユーザの興味にあわせた記事の更新情報を、音声により受け取ることが出来ないという問題があった。
【０００４】
例えば、上記の非特許文献１から３におけるシステムでは、ユーザの興味にあわせた記事の更新情報を、ユーザに音声で配信できないため、例えばユーザが自動車を運転中などの移動中などであって、ユーザがPC(Personal Computer)や携帯電話などの端末を操作できない場合には、ユーザは興味にあった情報を収集できないという問題があった。
【０００５】
本発明は、このような事情に鑑みてなされたものであり、その目的は、ユーザの興味にあわせた記事の更新情報を、ユーザに音声で配信する情報配信装置を提供することにある。
【課題を解決するための手段】
【０００６】
この発明は上述した課題を解決するためになされたもので、ユーザが用いるユーザ端末とサービスプロバイダ装置とに情報ネットワークを介して接続される情報配信装置であって、予め前記ユーザの興味があるキーワードと送信先情報とをユーザ毎にサービス設定ファイルとして記憶するサービス設定ファイル記憶部と、前記ユーザの前記ユーザ端末を用いた通信履歴を蓄積する通信履歴蓄積部と、前記ユーザの前記ユーザ端末を用いた通信から通信履歴を取得し、該取得した通信履歴を前記通信履歴蓄積部に記憶する通信履歴取得機能部と、前記サービス設定ファイル記憶部に予め記憶されているキーワードに基づいて、前記通信履歴蓄積部に記憶されている通信履歴から、前記キーワードと同値関係または継承関係にあるキーワードを興味データとして抽出する興味データ抽出部と、前記サービスプロバイダ装置からテキスト形式である記事を取得する記事取得機能部と、前記記事取得機能部が取得した記事の中から、前記興味データに基づいて記事を抽出するフィルタ機能部と、前記フィルタ機能部が抽出した記事を音声化情報に音声変換するテキスト音声化機能部と、前記テキスト音声化機能部が音声変換した音声化情報を前記サービス設定ファイルの送信先情報に基づいて送信する通信部と、を有することを特徴とする情報配信装置である。
【０００８】
また、この発明は、前記情報配信装置が、前記テキスト音声化機能部が音声変換した音声化情報を公開する音声情報公開機能部、を有することを特徴とする情報配信装置である。
【０００９】
また、この発明は、前記サービス設定ファイルには、前記送信先情報として、前記ユーザの電話番号またはメールアドレスの情報が記憶されており、前記通信部が、前記音声化情報を前記サービス設定ファイルに記憶されている電話番号またはメールアドレスの情報に基づいて、前記音声化情報を送信前記ユーザ端末に配信する、ことを特徴とする情報配信装置である。
【００１０】
また、この発明は、前記通信部が、前記音声化情報を前記ユーザ端末にＳＩＰで配信する、ことを特徴とする情報配信装置である。
【００１１】
また、この発明は、前記通信部が、前記サービス設定ファイルに記憶されている電話番号に基づいて前記音声化情報を前記ユーザ端末に配信した場合において、前記ユーザ端末からの応答が無い場合または前記ユーザ端末が未接続の場合には、前記サービス設定ファイルに記憶されているメールアドレスの情報に基づいて前記音声化情報をメール配信する、ことを特徴とする情報配信装置である。
【００１２】
また、この発明は、前記記事取得機能部が、前記サービスプロバイダ装置に記録されているテキスト情報に変化がある場合には、該変化に対応する差分であるテキスト情報を取得する、ことを特徴とする情報配信装置である。
【００１３】
また、この発明は、前記記事取得機能部が、予め定められた時刻に前記テキスト情報を取得する、ことを特徴とする情報配信装置である。
【００１４】
また、この発明は、前記通信履歴蓄積部に蓄積される通信ユーザの通信履歴は、ブログにおける記事コンテンツや閲覧データやコメントやトラックバック情報提供サービスにおけるデータを含む、ことを特徴とする情報配信装置である。
【００１５】
また、この発明は、前記通信履歴データの通信を行うユーザ端末装置と前記音声化情報を受信するユーザ端末装置とが異なる端末装置である、ことを特徴とする情報配信装置である。
【００１６】
また、この発明は、前記通信履歴データの通信を行うユーザ端末装置と前記音声化情報を受信するユーザ端末装置とのうち、いずれか一方または両方のユーザ端末装置が、携帯型端末装置であることを特徴とする情報配信装置である。
【００１７】
また、この発明は、前記サービス設定ファイル記憶部が、一以上のＷｅｂページを指定するＵＲＬ情報を前記サービス設定ファイルとして予め記憶し、前記記事取得機能部が、前記サービス設定ファイル記憶部に記憶された前記ＵＲＬ情報に基づいて、該ＵＲＬ情報に該当するＷｅｂページの更新を定期的に検知し、更新を検知した場合には、該更新を検知したＷｅｂページの内容から前記記事を取得し、前記テキスト音声化機能部が、前記前記記事取得機能部が取得した記事を前記音声化情報に音声変換し、前記通信部が、前記前記テキスト音声化機能部が音声変換した音声化情報と前記ＵＲＬ情報と前記送信先情報とを、前記ＵＲＬ情報に基づいて前記サービスプロバイダ装置に送信し、前記サービスプロバイダ装置が、前記情報配信装置の通信部から受信したＵＲＬ情報と音声化情報とに基づいて、前記音声化情報を含んだ前記ＵＲＬ情報に基づいた個人専用のメールマガジンを構成するマガジン構成部と、前記マガジン構成手段が構成したメールマガジンを、前記情報配信装置の通信部から受信した送信先情報に基づいて配信する配信部と、を有することを特徴とする情報配信装置である。
【００１８】
また、この発明は、ユーザが用いるユーザ端末とサービスプロバイダ装置とに情報ネットワークを介して接続される情報配信装置が、予め前記ユーザの興味があるキーワードと送信先情報とをユーザ毎にサービス設定ファイルとして記憶し、前記ユーザの前記ユーザ端末を用いた通信から通信履歴を取得し、該取得した通信履歴を通信履歴蓄積部に記憶し、前記予め記憶されているキーワードに基づいて、前記通信履歴蓄積部に記憶されている通信履歴から、前記キーワードと同値関係または継承関係にあるキーワードを興味データとして抽出し、前記サービスプロバイダ装置からテキスト形式である記事を取得し、前記取得した記事の中から、前記興味データに基づいて記事を抽出し、前記抽出した記事を音声化情報に音声変換し、前記音声変換した音声化情報を前記サービス設定ファイルの送信先情報に基づいて送信する、ことを特徴とする情報配信方法である。
【００１９】
また、この発明は、ユーザが用いるユーザ端末とサービスプロバイダ装置とに情報ネットワークを介して接続される情報配信装置としてのコンピュータに、予め前記ユーザの興味があるキーワードと送信先情報とをユーザ毎にサービス設定ファイルとして記憶するサービス設定ファイル記憶手順と、前記ユーザの前記ユーザ端末を用いた通信から通信履歴を取得し、該取得した通信履歴を通信履歴蓄積部に記憶する通信履歴取得機能手順と、前記サービス設定ファイルに予め記憶されているキーワードに基づいて、前記通信履歴蓄積部に記憶されている通信履歴から、前記キーワードと同値関係または継承関係にあるキーワードを興味データとして抽出する興味データ抽出手順と、前記サービスプロバイダ装置からテキスト形式である記事を取得する記事取得機能手順と、前記記事取得機能手順が取得した記事の中から、前記興味データに基づいて記事を抽出するフィルタ機能手順と、前記フィルタ機能手順が抽出した記事を音声化情報に音声変換するテキスト音声化機能手順と、前記テキスト音声化機能手順が音声変換した音声化情報を前記サービス設定ファイルの送信先情報に基づいて送信する通信手順と、を実行させるための情報配信プログラムである。
【発明の効果】
【００２０】
この発明によれば、情報配信装置が、ユーザの興味にあわせた記事の更新情報を、ユーザに音声で配信するため、ユーザの興味のない情報はユーザには届かず、ユーザの興味にあった情報だけをユーザが音声として受け取ることができるという効果を奏する。また、情報配信装置は、より望ましい相手を指定して、情報を配信できるという効果を奏する。また、情報配信装置が、情報を音声に変換して配信することにより、例えばユーザが自動車を運転中などの移動中などであって、ユーザがPC(Personal Computer)や携帯電話などの端末を操作できない場合であっても、ユーザは興味にあった情報を音声で収集できるという効果を奏する。
【発明を実施するための最良の形態】
【００２１】
以下、図面を参照して、本発明の実施形態についで説明する。図１は実施形態における情報配信システムの構成図であり、図２は図１の情報配信システムの基本機能シーケンス図であり、図３は図１の情報配信装置２の構成図であり、図４は実施例１の構成図であり、図５は実施例１のシーケンス図であり、図６は実施例２のシーケンス図であり、図７は実施例３のシーケンス図である。
【００２２】
まず、図１を用いて、本実施形態における情報配信システムの基本的な構成と、その機能について説明する。Ｗｅｂユーザ端末３は、ユーザが用いる端末である。ユーザはＷｅｂユーザ端末３を用いて、情報配信装置２経由で情報ネットワーク１に接続し、メール通信やブログ通信を行い、そしてサービスプロバイダ（サービスプロバイダ装置（ＳＰ））４のＷｅｂ情報を利用している。なお、このサービスプロバイダ４は、ブログを提供している。
【００２３】
情報配信装置２は、ユーザの通信履歴データから興味ユーザとそのユーザに対する興味キーワードを抽出し、サービスプロバイダ４のＷｅｂ情報であって該興味ユーザの書いた情報の中から、そのユーザに対しての該興味キーワードと継承関係あるいは同値関係にあるテキスト情報を選択する。また、情報配信装置２は、該選択したテキスト情報をテキスト音声化機能により音声化情報として音声化し、該音声化情報を音声公開ソフトウェアにより該情報ネットワーク上で公開することにより、Ｗｅｂユーザ端末３に該音声化情報を配信する。
【００２４】
なお、この興味ユーザとは、情報配信装置２に予め登録したユーザである。また、この興味キーワードとは、興味ユーザが、情報配信装置２に予め登録したキーワードである。
【００２５】
次に、図２を用いて、図１の情報配信システムの、基本機能シーケンスについて説明する。この基本機能シーケンスは、次のステップＳ１からステップＳ１１の処理により実行される。
【００２６】
Ｓ１：Ｗｅｂユーザ端末３が、情報ネットワーク１内の情報配信装置２に、サービス対象とするＷｅｂサイトとスタート時のキーワードとを登録申請する。
Ｓ２：情報配信装置２は、サービス対象とするＷｅｂサイトとスタート時のキーワードとをユーザを識別するユーザ識別情報と関連付けて内部の記憶部（後述するサービス設定ファイル記憶部２９）に登録する。なお、このユーザ識別情報により、興味ユーザが識別される。また、このキーワードとは、興味キーワードである。
Ｓ３：その後、Ｗｅｂユーザ端末３が、情報配信装置２を経由して情報ネットワーク１に通信アクセスするか、アプリケーションを利用するか、または、ネットワークサービスを利用する。
【００２７】
Ｓ４：情報配信装置２は、Ｗｅｂユーザ端末３の通信履歴から興味キーワードと興味ユーザとを抽出する。
Ｓ５：サービスプロバイダ４が、Ｗｅｂサイトの記事を情報配信装置２へ提供する。例えば、サービスプロバイダ４が、定期的にＷｅｂサイトの記事を情報配信装置２へ提供する。
Ｓ６：情報配信装置２は、サービスプロバイダ４から受信したＷｅｂサイトの記事の中から、そのユーザに対しての該興味キーワードと継承関係にあるテキスト情報を選択し抽出する。
【００２８】
Ｓ７：情報配信装置２は、上記ステップＳ５において選択し抽出した該テキスト情報を音声化情報に音声化（音声変換）する。
Ｓ８：情報配信装置２は、該音声化情報をＷｅｂ化して、サービスプロバイダ４に転送する。このＷｅｂ化とは、例えば、Webに公開できる形式の情報に変換することである。
Ｓ９：サービスプロバイダ４は、音声公開ソフトウェアにて該音声化情報をＷｅｂに公開する。
Ｓ１０：情報配信装置２は、該音声化情報をＷｅｂユーザ端末３に配信する。
Ｓ１１：Ｗｅｂユーザ端末３は該音声化情報を受信する。
【００２９】
次に、図３を用いて、情報配信装置２の構成について説明する。情報配信装置２は、通信インターフェース３１を経由して、Ｗｅｂユーザ端末３との間の通信を行い、また、サービスプロバイダ４からの情報取得を行う。通信履歴取得機能部２２は、Ｗｅｂユーザ端末３の通信履歴データやアプリケーションあるいはサービスから、通信履歴を取得し、通信履歴データベース（ＤＢ）部（通信履歴蓄積部）２３にデータベース化して蓄積する。
【００３０】
興味データ抽出部２４は、通信履歴ＤＢ部２３から、後述するサービス設定ファイル記憶部２９に記憶されているサービス設定ファイルに基づいて、興味データを抽出する。例えば、興味データ抽出部２４は、興味ユーザ毎に、そのユーザに対する興味キーワードを抽出する。あるいは、興味データ抽出部２４は、登録されたキーワードと同値関係あるいは継承関係にあるキーワードを、該ユーザの興味キーワードとして抽出する。なお、この同値関係とは、たとえば同じ意味となるキーワードであり、また、継承関係とは同じ意味であり上位概念または下位概念となるキーワードである。
【００３１】
記事取得機能部３０は、例えば、後述するサービス設定ファイル記憶部２９にサービス設定ファイルとして登録されているＷｅｂサイトに基づいて、サービスプロバイダ４から、記事を検索して取得する。フィルタ機能部２５は、該記事取得機能部３０が取得した記事から該興味ユーザの記事ごとに該興味キーワードを含むテキストをフィルタリングして取り出す。テキスト音声化機能部２６は、該取り出されたテキストを音声化情報として音声化する。
【００３２】
サービス設定ファイル記憶部２９には、キーワード、ユーザの電話番号あるいはユーザのメールアドレスである送信先情報、またユーザの興味があるＷｅｂサイトが、ユーザごとにサービス設定ファイルとして記憶されている。音声再生処理機能部２８は、サービス設定ファイル記憶部２９にサービス設定ファイルとして保持されているユーザの電話番号あるいはユーザのメールアドレスに基づいて、例えばＷｅｂユーザ端末３へ、テキスト音声化機能部２６が音声化した音声化情報を転送する。この電話番号への転送は、例えばＳＩＰ（Session Initiation Protocol）にて行う。この転送は通信部２１が、通信インターフェース３１を介して実行する。また、通信部２１は、Ｗｅｂユーザ端末３が行うメール、ブログ閲覧、ブログコメント、または、ブログトラックバックを含むアプリケーションあるいはサービスからの通信履歴データの転送を行う。音声情報公開機能部２７は、音声公開ソフトウェアにて該音声化情報をＷｅｂに公開する。認証制御部３２は、ユーザの認証作業や、一連のシーケンス制御を実行指示する。
【００３３】
なお、通信履歴取得機能部２２は、通信部２１がＷｅｂユーザ端末３から受信するメール、ブログ閲覧、ブログコメント、または、ブログトラックバックを含むアプリケーションあるいはサービスから、通信履歴を取得し、該取得した通信履歴を通信履歴ＤＢ部２３にデータベース化して蓄積する。
【００３４】
＜第１の実施例＞
次に、図４を用いて、ＳＩＰによる音声化情報の配信の例として、通信部２１が音声化情報と転送指示とを音声再生処理機能部２８から受けて、該音声化情報をSIPURI（SIP Uniform Resource Identifier）で転送する場合の、情報配信システムの動作について説明する。
【００３５】
まず、通信部２１は、ユーザが不在の場合は、Ｗｅｂユーザ端末３へ音声化情報をメール転送する。また、通信部２１は、ＳＩＰと音声化情報とともに転送指示を、通信ノード５へ転送する。次に、ＳＩＰと音声化情報とを受信した通信ノード５は、ユーザ電話端末６が不在または電源断であれば、該ＳＩＰと音声化情報とを通信ノード７へ転送する。次に、該ＳＩＰと音声化情報とを受信した通信ノード７は、ユーザ携帯端末８も不在または電源断であれば、Ｗｅｂユーザ端末３に該音声ファイルをメール転送する。
【００３６】
次に、図５を用いて、情報配信システムにおける第１の実施例のシーケンス図について説明する。
Ｓ２０：ユーザは、Ｗｅｂユーザ端末３あるいはユーザ携帯端末８からチェック対象サイトや電話番号を情報配信装置２に登録申請する。
Ｓ２１：情報配信装置２の認証制御部３２はユーザを認証した後、チェック対象サイトや電話番号をサービス設定ファイルとしてサービス設定ファイル記憶部２９に登録する。
Ｓ２２：サービス設定ファイル記憶部２９には、上記Ｓ２１により、チェック対象サイトや配信先電話番号が、サービス設定ファイルとして記録される。
【００３７】
Ｓ２３：ユーザは、Ｗｅｂユーザ端末３あるいはユーザ携帯端末８から、情報配信装置２を経由して情報ネットワーク１に通信アクセスするか、アプリケーションを利用するか、または、ネットワークサービスを利用する。
Ｓ２４：情報配信装置２の通信履歴取得機能部２２が、通信履歴を通信履歴ＤＢ部２３に保持記録する。
Ｓ２５：興味データ抽出部２４が、通信履歴を通信履歴ＤＢ部２３から興味ユーザ、興味キーワードを抽出する。
Ｓ２６：サービスプロバイダ４のブログが、例えば定期的に、記事を情報配信装置２へ提供する。
【００３８】
Ｓ２７：情報配信装置２の記事取得機能部３０が、登録サイトのブログ記事をサービスプロバイダ４のブログから取得する。
Ｓ２８：フィルタ機能部２５が、記事取得機能部３０が取得したブログ記事の中から、登録サイトのブログ記事を検索して、該興味ユーザとそのユーザに対する該興味キーワードと同値関係あるいは継承関係にあるテキスト情報を選択し抽出する。
【００３９】
Ｓ２９：テキスト音声化機能部２６が、該テキスト情報を音声化情報として音声化する。
Ｓ３０：音声再生処理機能部２８が、該音声化情報を、サービス設定ファイル記憶部２９から読み出したサービス設定ファイルに記憶されている電話番号のユーザ電話端末６へ配信する。
Ｓ３１：通信部２１は、ユーザがユーザ電話端末６に在席か不在か？を判定し、判定結果が在席であれば、ユーザ電話端末６にＳＩＰにて電話する。一方、通信部２１は、判定結果が不在であれば、次のＳ３３を実行し、ユーザ携帯端末８にＳＩＰにて電話する。なお、この「ユーザがユーザ電話端末６に在席か不在かの判定」は、例えば、通信部２１が、ユーザが予め登録しているプレゼンスサーバから、ユーザのプレゼンス情報を取得し、この取得したプレゼンス情報に基づいて判定する。
【００４０】
Ｓ３２：上記Ｓ３１の判定結果が在席である場合には、ユーザ電話端末６に、着信する。
Ｓ３３：上記Ｓ３１の判定結果が不在である場合には、通信部２１は、ユーザ携帯端末８にＳＩＰにて電話する。
Ｓ３４：ユーザ携帯端末８に、着信する。
Ｓ３５：通信部２１は、ユーザ電話端末６またはユーザ携帯端末８が、電話応答したか否か？を判定する。この判定結果が電話応答したのであれば、ユーザは該音声化情報を受け取ったこととなり、通信部２１は処理を終了する。一方、この判定結果が、応答が無ければ、通信部２１は、次のＳ３６からの処理を実行する。
Ｓ３６：通信部２１は、Ｗｅｂユーザ端末３に該テキスト情報をメールする。
Ｓ３７：Ｗｅｂユーザ端末３は該メールを受信する。
【００４１】
なお、上記のＳ２７における登録サイトのブログ記事の取得、及び、Ｓ２８における興味キーワードでフィルタリングされたテキスト情報の抽出は、定期的にまたは予め定められた時刻である定時に行う場合もあれば、サービスプロバイダ４に記録されているテキスト情報の差分情報が一定量蓄積した段階で抽出を行って、その変化に対応した差分情報を音声化してユーザに提供する場合もある。
【００４２】
また、通信履歴データの通信を行うユーザ端末装置と、音声化情報を受信するユーザ端末装置とは、異なる端末装置であってもよい。例えば、通信履歴データの通信を行うユーザ端末装置はＷｅｂユーザ端末３であり、音声化情報を受信するユーザ端末装置はユーザ電話端末６またはユーザ携帯端末８であってもよい。また、通信履歴データの通信を行うユーザ端末装置と、音声化情報を受信するユーザ端末装置とのうち、いずれか一方または両方のユーザ端末装置が、携帯型端末装置であってもよい。また、いずれのユーザ端末装置に音声化情報を転送するかについては、予めサービス設定ファイル記憶部２９に送信先情報として記憶されている。
【００４３】
＜第２の実施例＞
次に、情報配信システムが、音声化情報をＷｅｂ公開する場合を実施例２として説明する。この場合の情報配信システムの構成は、図４において説明した情報配信システムの構成と同一である。なお、図４の音声情報公開機能部２７が該テキスト音声化情報をＷｅｂ公開する。情報配信システムの構成は、図４の構成と同一であるため、その説明を省略する。
【００４４】
次に、図６を用いて、実施例２における、情報配信システムの動作について説明する。なお、図６の実施例２のシーケンス図において、Ｓ２０〜Ｓ２９は実施例１の図５のシーケンス図と同一である。そのため、同一である処理については、その説明を省略する。
【００４５】
Ｓ４０：音声情報公開機能部２７が、ブログを使って該音声化情報を公開する。
Ｓ４１：通信部２１が、該音声化情報をサービスプロバイダ４のブログに転送する。
Ｓ４２：サービスプロバイダ４は、ブログとして、該音声化情報を公開する。
Ｓ４３：Ｗｅｂユーザ端末３は、サービスプロバイダ４のブログにより、該音声化情報を視聴する。
【００４６】
＜第３の実施例＞
次に、第３の実施例では、サービスプロバイダ４あるいはサービスプロバイダ４のブログは利用者がＵＲＬで指定する複数のＷｅｂページの更新を定期的に検知し、更新された内容から個人専用のメールマガジンを構成し通知する。
【００４７】
図７は実施例３のシーケンス図であって、図７もＳ２３からＳ２６は、図５の実施例１または図６の実施例２と同一である。この同一の処理については、その説明を省略する。
Ｓ５０：Ｗｅｂユーザ端末３あるいはユーザ携帯端末８のユーザがチェック対象サイト、電話番号、または、指定頁を情報配信装置２に登録する。
Ｓ５１：情報配信装置２の認証制御部３２はユーザを認証した後、チェック対象サイトや電話番号や指定頁を登録し、サービス設定ファイル記憶部２９にファイルを指示する。
Ｓ５２：情報配信装置２のサービス設定ファイルは、Ｓ５１の登録内容をファイル保持する。
Ｓ５３：記事取得機能部３０が、Ｓ２６で提供される登録サイトのブログ記事を、定時に取得する。
Ｓ５４：フィルタ機能部２５が、記事取得機能部３０の取得した登録サイトの記事を定時に検索して、Ｓ２５で抽出された興味キーワードと同値関係あるいは継承関係にあるテキスト情報を選択し抽出する。
Ｓ５５：テキスト音声化機能部２６が、該テキスト情報を音声化する。
Ｓ５６：音声情報公開機能部２７が、該音声化情報をサービスプロバイダ４でブログとして定時に公開するために、該音声化情報を通信部２１へ出力する。
Ｓ５７：通信部２１が、該音声化情報をサービスプロバイダ４のブログに転送する。
Ｓ５８：サービスプロバイダ４は、該音声化情報を定時に公開する。
Ｓ５９：サービスプロバイダ４は、ユーザが頁指定した音声公開情報頁を編集してメールマガジンを作成する。
Ｓ６０：サービスプロバイダ４のブログは、該メールマガジンを定時に該ユーザに転送する。
Ｓ６１：該ユーザは、Ｗｅｂユーザ端末３あるいはユーザ携帯端末８上で、受信した該メールマガジンを視聴閲覧する。
【００４８】
なお、この第３の実施例において、サービス設定ファイル記憶部２９が、一以上のＷｅｂページを指定するＵＲＬ情報をサービス設定ファイルとして予め記憶する。また、記事取得機能部３０が、サービス設定ファイル記憶部２９に記憶されたＵＲＬ情報に基づいて、該ＵＲＬ情報に該当するＷｅｂページの更新を定期的に検知し、更新を検知した場合には、該更新を検知したＷｅｂページの内容から記事を取得する。また、テキスト音声化機能部２６が、記事取得機能部３０が取得した記事を音声化情報に音声変換する。また、通信部２１が、テキスト音声化機能部２６が音声変換した音声化情報と、サービス設定ファイル記憶部２９に記憶されているＵＲＬ情報と送信先情報とを、ＵＲＬ情報に基づいてサービスプロバイダ４に送信する。
【００４９】
また、サービスプロバイダ４は、情報配信装置２の通信部２１から受信したＵＲＬ情報と音声化情報とに基づいて、音声化情報を含んだＵＲＬ情報に基づいた個人専用のメールマガジンを構成するマガジン構成部を有する。また、サービスプロバイダ４は、マガジン構成部が構成したメールマガジンを、情報配信装置２の通信部２１から受信した送信先情報に基づいてユーザが有する端末へ配信する配信部を有する。
【００５０】
以上の実施形態、および実施例を用いて説明したように、情報配信装置２は、Ｗｅｂ、ブログなどの内容からユーザが興味のあるテキスト情報を抽出し、該抽出したテキスト情報を音声化情報に変換し、該変換した音声化情報をユーザの端末に配信することが可能となる。これにより、ユーザは、ユーザの興味のない情報はユーザには届かず、ユーザの興味にあった情報だけをユーザが音声として受け取ることができるという効果を奏する。
【００５１】
また、情報配信装置２の興味データ抽出部２４は、通信履歴ＤＢ部２３から、登録されたキーワードと同値関係あるいは継承関係にあるキーワードを、該ユーザの興味キーワードとして抽出することにより、ユーザが予め登録したキーワード以外であっても、登録したキーワードに同値関係あるいは継承関係にあるキーワードである興味キーワードにより、例えば、類似するキーワードにより、ユーザが興味のあるキーワードと該等する情報を、取得することが可能となる。
【００５２】
なお、図３の通信履歴ＤＢ部２３またはサービス設定ファイル記憶部２９は、ハードディスク装置や光磁気ディスク装置、フラッシュメモリ等の不揮発性のメモリや、ＣＤ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００５３】
なお、図１における情報配信装置２は専用のハードウェアにより実現されるものであってもよく、また、メモリおよびマイクロプロセッサにより実現させるものであってもよい。
【００５４】
なお、この情報配信装置２は専用のハードウェアにより実現されるものであってもよく、また、この情報配信装置２はメモリおよびＣＰＵ（中央演算装置）により構成され、情報配信装置２の機能を実現するためのプログラムをメモリにロードして実行することによりその機能を実現させるものであってもよい。
【００５５】
また、図１における情報配信装置２の機能を実現するためのプログラムをコンピュータ読み取り可能な記録媒体に記録して、この記録媒体に記録されたプログラムをコンピュータシステムに読み込ませ、実行することにより情報配信装置２の機能を実行できるように行ってもよい。なお、ここでいう「コンピュータシステム」とは、ＯＳや周辺機器等のハードウェアを含むものとする。
【００５６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５７】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００５８】
本発明により、配信する情報はユーザの興味に即した情報に限られるので、ユーザのニーズに基づいた情報配信の、一層の拡大が可能となり、また、インターネット上で音声による情報配信が可能となるので、情報通信産業はもとより産業界全般の情報配信の効率化が可能で、また産業競争力の強化が図られる。
【図面の簡単な説明】
【００５９】
【図１】この発明の一実施形態による本発明の情報配信システムの構成を示すブロック図である。
【図２】図１の動作を説明する基本機能シーケンスである。
【図３】図１の情報配信装置の構成図である。
【図４】実施例１の情報配信システムの構成図である。
【図５】実施例１のシーケンス図である。
【図６】実施例２のシーケンス図である。
【図７】実施例３のシーケンス図である。
【符号の説明】
【００６０】
１  情報ネットワーク  
２  情報配信装置  
３  Ｗｅｂユーザ端末  
４  サービスプロバイダ  
５、７  通信ノード  
６  ユーザ電話端末  
８  ユーザ携帯端末  
２１  通信部  
２２  通信履歴取得機能部  
２３  通信履歴ＤＢ部  
２４  興味データ抽出部  
２５  フィルタ機能部  
２６  テキスト音声化機能部  
２７  音声情報公開機能部  
２８  音声再生処理機能部  
２９  サービス設定ファイル記憶部  
３０  記事取得機能部  
３１  通信インターフェース  
３２  認証制御部  
【図１】
0004538038.tif 000002
【図２】
0004538038.tif 000003
【図３】
0004538038.tif 000004
【図４】
0004538038.tif 000005
【図５】
0004538038.tif 000006
【図６】
0004538038.tif 000007
【図７】
0004538038.tif 000008